(57)【要約】【課題】  美観を損なうことなく納まりの良好な簡素な構成にしたがって、天板の張出し部分が自重により撓むのを防止することのできる対面式システムキッチン。【解決手段】  天板（６）の張出し部分を支持するための補強部材（８）と、システムキッチンの幅方向の全体に亘って延びて補強部材が外部に露出するのを全面的に覆うためのカバー部材（１０）とを備えている。補強部材は  幅方向に間隔を隔てて配置され、カバー部材は、天板の先端部分と背面の所定高さ位置との間に設けられた平板状の形態を有する。また、カバー部材またはその近傍に照明部（１３〜１７）が設けられている。【選択図】  図３
2005137591.tif 000002
【特許請求の範囲】
【請求項１】
天板が背面から張り出している対面式のシステムキッチンにおいて、
前記天板の張出し部分を支持するための補強部材と、
前記システムキッチンの幅方向の全体に亘って延びて前記補強部材が外部に露出するのを全面的に覆うためのカバー部材とを備えていることを特徴とするシステムキッチン。
【請求項２】
前記補強部材は  前記幅方向に間隔を隔てて配置され、
前記カバー部材は、前記天板の先端部分と前記背面の所定高さ位置との間に設けられた平板状の形態を有することを特徴とする請求項１に記載のシステムキッチン。
【請求項３】
前記カバー部材またはその近傍に照明部が設けられていることを特徴とする請求項１または２に記載のシステムキッチン。
【発明の詳細な説明】
【技術分野】
【０００１】
本発明は、対面式システムキッチンに関し、特に対面式のシステムキッチンにおける天板の張出し部分の納まりに関するものである。
【背景技術】
【０００２】
一般に、対面式のシステムキッチンは、シンクの前方に立ってカウンター越しにリビングルームやダイニングルームを見渡すことができるように構成される。また、対面式のシステムキッチンは、キッチン側およびリビングルーム（以下、ダイニングルームも含む概念とする）側の双方からカウンター面にアクセスすることができるように構成される。その結果、対面式のシステムキッチンでは、カウンター面を構成する天板が、背面パネルからリビングルームに向かってある程度張り出すのが一般的である。
【発明の開示】
【発明が解決しようとする課題】
【０００３】
この場合、たとえばシステムキッチンの幅方向に間隔を隔てて配置された複数の補強部材により天板の張出し部分を支持する構成を採用して、天板の張出し部分が自重により撓むのを防止することが考えられる。しかしながら、この構成を採用すると、天板の張出し部分を支持するための補強部材が外部に露出して美観が損なわれるという不都合があった。
【０００４】
本発明は、前述の課題に鑑みてなされたものであり、美観を損なうことなく納まりの良好な簡素な構成にしたがって、天板の張出し部分が自重により撓むのを防止することのできる対面式システムキッチンを提供することを目的とする。
【課題を解決するための手段】
【０００５】
前記課題を解決するために、本発明では、天板が背面から張り出している対面式のシステムキッチンにおいて、
前記天板の張出し部分を支持するための補強部材と、
前記システムキッチンの幅方向の全体に亘って延びて前記補強部材が外部に露出するのを全面的に覆うためのカバー部材とを備えていることを特徴とするシステムキッチンを提供する。
【０００６】
本発明の好ましい態様によれば、前記補強部材は  前記幅方向に間隔を隔てて配置され、前記カバー部材は、前記天板の先端部分と前記背面の所定高さ位置との間に設けられた平板状の形態を有する。また、前記カバー部材またはその近傍に照明部が設けられていることが好ましい。
【発明の効果】
【０００７】
本発明では、天板の張出し部分を支持するための補強部材が外部に露出するのを全面的に覆うためのカバー部材が、システムキッチンの幅方向の全体に亘って延びるように設けられている。その結果、本発明の対面式システムキッチンでは、美観を損なうことなく納まりの良好な簡素な構成にしたがって、天板の張出し部分が自重により撓むのを防止することができる。
【０００８】
また、本発明では、補強部材が幅方向に間隔を隔てて配置され、カバー部材が天板の先端部分と背面の所定高さ位置との間に設けられた平板状の形態を有することが好ましい。この構成により、天板の張出し部分が自重により撓むのを効率的に且つ良好に防止することができるとともに、補強部材が外部に露出するのを全面的に覆うためのカバー部材を非常に簡素な構成にしたがって実現することができる。
【０００９】
また、本発明では、カバー部材またはその近傍に照明部が設けられていることが好ましい。この構成により、システムキッチンの背面側の床部分を直接照明し且つリビングルームを間接照明することができ、ひいては多様性に富んだ照明を実現することができる。
【発明を実施するための最良の形態】
【００１０】
本発明の実施形態を、添付図面に基づいて説明する。
図１は、本発明の実施形態にかかる対面式システムキッチンの構成を概略的に示す正面図である。また、図２は、図１に示す対面式システムキッチンの上面図である。また、図３は、カウンター面を構成する天板の張出し部分周りの構造を概略的に示す断面図である。なお、図２の上面図では、図面の明瞭化のためにレンジフードの図示を省略している。
【００１１】
図１および図２を参照すると、本実施形態の対面式システムキッチンＳは、向かって左側の側面が壁Ｗに接するように設置されており、床の上に載置されたベースキャビネット１を備えている。ベースキャビネット１の上部には、システムキッチンＳに向かって左側から順に、たとえばＩＨまたはガスコンロが設けられた加熱調理部２とシンク３とが間隔を隔てて設けられている。
【００１２】
また、シンク３に隣接して、たとえば湯水混合型の水栓４が設けられている。さらに、壁Ｗから加熱調理部２の上方に張り出すように、レンジフード５が設けられている。また、加熱調理部２およびシンク３を除くカウンター面は、背面パネル（図１および図２では不図示：図３を参照）からリビングルームＬ（図２を参照）に向かって張り出した奥行きの比較的大きな天板６で覆われている。
【００１３】
以上のように、本実施形態にかかる対面式システムキッチンＳでは、加熱調理部２およびシンク３の後方に、比較的広いカウンター面が確保されている。そして、カウンター面を構成する天板６が、システムキッチンＳの背面すなわち背面パネルからある程度張り出している。以下、図３を参照して、天板６の張出し部分周りの構成について説明する。
【００１４】
図３を参照すると、天板６は、たとえば人工大理石で形成された天板本体６ａと、天板本体６ａの面剛性を補強するためにその裏面側に添設された補強合板６ｂとにより構成されている。天板６は、背面パネル７から、例えば３００ｍｍ程度リビングルームに向かって張り出している。本実施形態では、天板６の張出し部分を支持するために補強部材８が用いられている。
【００１５】
補強部材８は、たとえばステンレス鋼やアルミニウムのような適当な金属により形成されたＬ字状の部材であって、システムキッチンの幅方向に間隔を隔てて複数個配置されている。補強部材８の一端部８ａは、接合金具９を介して補強合板６ｂに取り付けられている。また、補強部材８の他端部８ｂは、ビスのような適当な締結手段を介して背面パネル７に取り付けられている。
【００１６】
また、本実施形態では、補強部材８が外部に露出するのを全面的に覆うためのカバー部材１０が、システムキッチンの幅方向の全体に亘って、すなわち一方のサイドパネル１１ａと他方のサイドパネル１１ｂ（不図示）との間に亘って延びるように設けられている。カバー部材１０は、たとえばアルミニウムの押出し材や樹脂成形品により形成された平板状の形態を有する部材であって、図示のような断面形状を有する。
【００１７】
補強部材８の他端部８ｂの下方位置において、背面パネル７には、ビスのような適当な締結手段を介して、照明取付け用のＬ字状の金具１２が取り付けられている。そして、金具１２には、光源としての蛍光灯１３を取り付けるための取付け金具１４が固定されている。また、取付け金具１４は、配線１５を介して、補強合板６ｂに取り付けられたインバーター１６に接続されている。また、インバーター１６は、配線１７を介して電源（不図示）に接続されている。
【００１８】
一対のサイドパネル１１ａと１１ｂとの間には、複数個の蛍光灯１３が間隔を隔てて配置されている。カバー部材１０の一端部１０ａは、ビスのような適当な締結手段を介して、補強合板６ｂに取り付けられている。また、カバー部材１０の他端部１０ｂは、ビスのような適当な締結手段を介して、照明取付け用のＬ字状の金具１２に取り付けられている。すなわち、カバー部材１０は、天板６の先端部分と背面パネル７の所定高さ位置との間に設けられている。図１および図２に示すように片側の側面が壁Ｗに接する場合には、壁Ｗに接する側のサイドパネル１１ａの設置を省略することもできる。
【００１９】
以上のように、本実施形態では、天板６の張出し部分を支持するための補強部材８が外部に露出するのを全面的に覆うためのカバー部材１０が、システムキッチンＳの幅方向の全体に亘って延びるように設けられている。その結果、本実施形態の対面式システムキッチンＳでは、美観を損なうことなく納まりの良好な簡素な構成にしたがって、天板６の張出し部分が自重により撓むのを防止することができる。
【００２０】
特に、本実施形態では、補強部材８が幅方向に間隔を隔てて複数個配置され、カバー部材１０が天板６の先端部分と背面パネル７の所定高さ位置との間に設けられた平板状の形態を有する。したがって、天板６の張出し部分が自重により撓むのを効率的に且つ良好に防止することができるとともに、補強部材８が外部に露出するのを全面的に覆うためのカバー部材１０を非常に簡素な構成にしたがって実現することができる。
【００２１】
また、本実施形態では、カバー部材１０またはその近傍に照明部（１３〜１７）が設けられているので、システムキッチンＳの背面側の床部分を直接照明し且つリビングルームＬを間接照明することができ、ひいては多様性に富んだ照明を実現することができる。
【００２２】
なお、上述の実施形態では、照明部の光源として蛍光灯を用いているが、これに限定されることなく、ＬＥＤなど他の適当な光源を用いることができる。ただし、ＬＥＤを光源として用いる場合には、インバーターに代えてトランスが必要になる。
【００２３】
また、上述の実施形態では、天板の張出し部分を支持するための補強部材として、間隔を隔てて配置された複数個のＬ字状の部材を用いているが、これに限定されることなく、補強部材の具体的な形態については様々な変形例が可能である。
【図面の簡単な説明】
【００２４】
【図１】本発明の実施形態にかかる対面式システムキッチンの構成を概略的に示す正面図である。
【図２】図１に示す対面式システムキッチンの上面図である。
【図３】カウンター面を構成する天板の張出し部分周りの構造を概略的に示す断面図である。
【符号の説明】
【００２５】
Ｓ  対面式システムキッチン
Ｗ  壁
１  ベースキャビネット
２  加熱調理部
３  シンク
４  水栓
５  レンジフード
６  天板
６ａ  天板本体
６ｂ  補強合板
７  背面パネル
８  補強部材
１０  カバー部材
１３  蛍光灯
１６  インバーター
【図１】
2005137591.tif 000003
【図２】
2005137591.tif 000004
【図３】
2005137591.tif 000005